(57)【要約】【課題】狭いスペースに設置可能で、十分な貯留容量と水圧に耐える強度を備え、しかも生産性の高い洗浄水タンクを提供することを目的とする。【解決手段】タンク本体２２の背面内部に内方に突出する横方向の補強リブ４５を複数段備えたことにより、タンク本体２２の耐圧強度を増すことができるとともに、補強リブ４５をタンクの内部に設けるためタンクの外形寸法はほとんど変わることがなく狭いスペースに設置することが可能である。【選択図】図４
2008038432.tif 000002
【特許請求の範囲】
【請求項１】
洗浄水を貯留するタンクにおいて、タンク本体の背面内部に内方に突出する少なくとも横方向の補強リブを複数段備えた洗浄水タンク。
【請求項２】
タンク本体の下部前方に入水口と、上部後方に出水口と、タンク本体内の下部に加熱手段を設置した請求項１に記載の洗浄水タンク。
【請求項３】
タンク本体は上部材と下部材の開口縁を互いに接合した構成とし、上部材と下部材の接合部がなす接合面はタンク本体の後方上部と前方下部との対角線上に設け、上部材と下部材の開口縁の少なくとも一部に外方に張り出した補強縁を設けた請求項１または２に記載の洗浄水タンク。
【請求項４】
タンク本体の底部外面に下方に突出した補強リブを複数設けた請求項１〜３のいずれか１項に記載の洗浄水タンク。
【請求項５】
上部材と下部材を樹脂材料で成型し、接合部を溶着により接合した請求項１〜４のいずれか１項に記載の洗浄水タンク。
【請求項６】
便器上面に設置する洗浄装置本体と、前記洗浄装置本体に回動自在に枢支した便座と便蓋を備え、前記洗浄装置本体内に局部を洗浄するノズル装置と、第１〜５のいずれか１つの発明の洗浄水タンクを配設した衛生洗浄装置。
【発明の詳細な説明】
【技術分野】
【０００１】
本発明は衛生洗浄装置に使用する洗浄水タンクの構造に関するものである。
【背景技術】
【０００２】
従来、この種の洗浄水タンクは、耐圧強度を増す目的で、繊維長が長いガラス繊維を配合した樹脂材料で成型した箱形状の上部ケースと、繊維長が短いガラス繊維を配合した樹脂材料で成型した皿状の下部ケースをパッキンを介してねじで接合し、下部ケースには加熱用のシーズヒータを設置している（例えば、特許文献１参照）。
【０００３】
図１２は、特許文献１に記載された従来の洗浄水タンクを示すものである。図１２に示すように、下面が開放で深い箱形状の上部ケース１と上面が開放で浅い皿状の下部ケース２を、パッキン３を介して接合し、下部ケース２の側面にはシーズヒータ４を設置した構成である。
【特許文献１】特開２００５−０９０１２７号公報
【発明の開示】
【発明が解決しようとする課題】
【０００４】
しかしながら、前記従来の構成では、洗浄水タンクの主要部材となる上部ケースは箱形状をなしており、内部から加わる水圧は特に側面に多く加わり、上部ケースはこの水圧に耐える構成とすることが必須であり、本従来例では成型材料に繊維長の長いガラス繊維を配合して材料自体の強度を増すことで対応している。しかしながら成型材料に繊維長の長いガラス繊維を配合することにより、成形性が極端に悪くなり生産性が低下するとともに、複雑な形状を形成することが難しく、洗浄水タンクの重量が重くなるという課題を有していた。
【０００５】
本発明は、前記従来の課題を解決するもので、狭いスペースに設置可能で、十分な貯留容量と水圧に耐える強度を備え、しかも生産性の高い洗浄水タンクを提供することを目的とする。
【課題を解決するための手段】
【０００６】
前記従来の課題を解決するために、本発明の洗浄水タンクは、タンク本体の背面内部に内方に突出する横方向の補強リブを複数段備えた構成としたものである。
【０００７】
これによって、タンク本体の耐圧強度を増すことができるとともに、補強リブをタンクの内部に設けるためタンクの外形寸法はほとんど変わることがなく狭いスペースに設置することができる。また、補強リブをタンクの外面に設けた場合は補強リブによる放熱作用がともなうが、内部に設けることでタンクに貯留する温水の放熱を抑制することができることとなり狭いスペースに設置可能で、十分な強度を備え、貯留する温水の保温性能の良い洗浄水タンクを提供することができる。
【発明の効果】
【０００８】
本発明の洗浄水タンクは、小さい外形寸法でありながら十分な貯留容量と水圧に耐える強度を備えた生産性の高い洗浄水タンクを提供することができる。
【発明を実施するための最良の形態】
【０００９】
第１の発明は、洗浄水を貯留するタンクにおいて、タンク本体の背面内部に内方に突出する少なくとも横方向の補強リブを複数段備えたことにより、タンク本体の耐圧強度を増
すことができるとともに、補強リブをタンクの内部に設けるためタンクの外形寸法はほとんど変わることがなく狭いスペースに設置することができる。また、補強リブをタンクの外面に設けた場合は補強リブによる放熱作用がともなうが、内部に設けることでタンクに貯留する温水の放熱を抑制することができることとなり狭いスペースに設置可能で、十分な強度を備え、貯留する温水の保温性能の良い洗浄水タンクを提供することができる。
【００１０】
第２の発明は、特に、第１の発明のタンク本体の下部前方に入水口と、上部後方に出水口と、タンク本体内の下部に加熱手段を設置したことにより、タンク本体の下部前方に設けた入水口から流入した冷たい洗浄水は、タンク背面の補強リブにより上昇するのが抑制され、タンク本体内の下部に設置した加熱手段で加熱された温水は対流によりタンク上部に上昇し、一旦上昇した温水は補強リブにより下降することを抑制されることとなりタンク上部には常に温水が貯留され、タンク本体上部後方に設けた出水口より送水される洗浄水は温水のみが送水されるため、快適な洗浄を得ることができる。
【００１１】
第３の発明は、特に、第１または第２の発明において、タンク本体は上部材と下部材の開口縁を互いに接合した構成とし、上部材と下部材の接合部がなす接合面はタンク本体の後方上部と前方下部との対角線上に設け、上部材と下部材の開口縁の少なくとも一部に外方に張り出した補強縁を設けたことにより、タンク本体の背面は補強リブで補強することができ、タンク本体の側面は補強縁で補強することができるのでタンク本体全体の耐圧強度を増すことができる。また、対角線上に接合面を設けることにより、上部材と下部材の開口を最大にすることができるので、タンク内部に設ける補強リブの成型を容易に行うことが可能となるため、耐圧強度の強い洗浄水タンクを容易に製造することが可能となる。
【００１２】
第４の発明は、特に、第１〜３のいずれか１つの発明において、タンク本体の底部外面に下方に突出した補強リブを複数設けたことにより、底面の耐圧強度を増すことができるとともに、タンクの底部は冷たい洗浄水が貯留されているため、外面に設けた補強リブによる放熱の影響が少なく、耐圧強度が高く、保温性の高い洗浄水タンクを提供することができる。
【００１３】
第５の発明は、特に、第１〜４のいずれか１つの発明において、上部材と下部材を樹脂材料で成型し、接合部を溶着により接合したことにより、上部材と下部材の本体部分と補強リブを一体で成型することができ、また上部材と下部材自体の接合部の樹脂材料を溶かして、他の部材を介することなく上部材と下部材を接合できるため、タンク本体全体が簡単な構成となり、しかも高い水密性と強度を確保することができる。
【００１４】
第６の発明は、便器上面に設置する洗浄装置本体と、前記洗浄装置本体に回動自在に枢支した便座と便蓋を備え、前記洗浄装置本体内に局部を洗浄するノズル装置と、第１〜５のいずれか１つの発明の洗浄水タンクを配設することにより、洗浄装置本体内に小型で十分な強度を備えた洗浄水タンクを配設することとなり、洗浄ノズルの形状や配置の自由度を高めることが可能となり、洗浄装置本体を小型にすることができるため、省スペースで使い勝手のよい衛生洗浄装置を提供することができる。することができる。
【００１５】
以下、本発明の実施の形態について、図面を参照しながら説明する。なお、この実施の形態によって本発明が限定されるものではない。
【００１６】
（実施の形態１）
図１は本発明の第１の実施の形態における衛生洗浄装置の斜視図を示すものであり、図２は衛生洗浄装置の本体の上ケースを外した状態の斜視図を示すものである。
【００１７】
本実施の形態の衛生洗浄装置１０は便器（図示せず）の上面に本体１１を固定して使用
するものであり、図１に示すように衛生洗浄装置１０の後部に配設した本体１１には便座１２と便蓋１３が回動自在に枢支してあり、本体１１内に設置した機能部材は上ケース１４で上方から隠蔽している。また、本体１１の側方には操作部１５が一体で設置してある。
【００１８】
図２に示すように、本体１１の内部には洗浄水を貯留する洗浄水タンク１５と、洗浄水タンク１２に洗浄水を供給する給水接続部１７と、洗浄水の供給と停止を行う開閉弁１８と、洗浄水を噴出して局部を洗浄するノズル装置１９と、洗浄後の局部を乾燥する乾燥装置等が下ケース２１にねじ等で固定してある。
【００１９】
ノズル装置１９は、複数の噴出口と噴出口に洗浄水を供給する複数の流路を備え、駆動手段により収納位置と洗浄位置に進退可能であり、洗浄水の流量を調節する流調弁と流路の切換を行う切換弁を備えている。
【００２０】
また、乾燥装置２０は、送風装置と加熱手段としてのヒータを備え温風を温風吹き出し口から使用者の局部に向けて送風する構成となっている。
【００２１】
図３は洗浄水タンクの外観の斜視図を示すものであり、図４は洗浄水タンクの内部後方の斜視図に示すものである。図に示すように洗浄水タンク１６のタンク本体２２はポリプロピレンに無機材料を添加して強度を増した樹脂材料を成型した上部材２３と下部材２４を溶着して一体に形成したものである。
【００２２】
タンク本体２２は側面から見た基本形状は四辺形となっており、特に前面部は上部が後に後退した後退部２５を備えており、後退部の下方では前面が後に傾斜する傾斜面２６を備えている。上記前面部の形状は、図１に示す便座１２への着座に障害となる部分を切除した形状となっており、傾斜面２６の上方には便座１２の一部を配設しており、衛生洗浄装置をコンパクトに構成するために寄与している。
【００２３】
タンク本体２２の側面の前方下部には洗浄水が流入する入水口２７を備え、上部後方には洗浄水を流出する出水口２８を備えている。またタンク本体２２の上面にはタンク内の圧力が負圧になった場合外部から空気を導入するバキュームブレーカ２９が設置してある。
【００２４】
洗浄水タンク１６の下部の底面３０に近い位置には洗浄水を加熱する加熱手段としてＵ字形状のシーズヒータ３１が設置してあり、シーズヒータ３１の近くには湯温を検知する温度検知手段としてサーミスタ３２が設置してある。また、シーズヒータ３１とサーミスタ３２の間にはシーズヒータ３１の熱をサーミスタ３２に伝える放熱部材３３が配置してある。
【００２５】
また、タンク本体２２の底面３０の一番低い位置にはタンク内の水を全て排出することができる排水バルブ３４が設置してあり、排水バルブ３４はタンク本体２２前部より斜め下方に向けて設置してある。排水バルブ３４は寒冷地における凍結防止や長期間使用しない場合の汚損水の排出時に使用される。排水バルブ３４の使用時は図９に示すように衛生洗浄装置１０全体を便器上に起立させ排水バルブ３４の開閉操作を行う。この時、本実施の形態の排水バルブ３４は本体１１の高い位置で斜め上方に向いて配置されるため、操作性と視認性が非常によい。
【００２６】
図４に示すように、タンク本体２２の入水口２７の内方には流入した洗浄水の流れを均一にする整流手段３４が設置してある。整流手段３５はタンク本体２２の底面３０に形成したリブと下面にリブを形成した整流部材３６を組み合わせることにより流路の断面積と
流れの方向を変える構成となっている。
【００２７】
図５は洗浄水タンクの断面図を示すものであり、図６は図５におけるＡＡ断面を示すものである。図６に示すように入水口２７の正面には整流部材３６のリブによる第１仕切板３７が形成してあり洗浄水の流れを下向きに変える偏向部３８を構成している。第１仕切板３７の下端とタンク本体２２の底面３０との隙間が洗浄水の流路となっている。
【００２８】
第１仕切板３７の背面側には、タンク本体２２の底面３０から起立したリブによる第２仕切板３９が間隔をあけて形成してある。第１仕切板３７と第２仕切板３９の間の空間は調整部４０であり、調整部４０の容積は偏向部３８の容積の約４倍となっている。第２仕切板３９の上端と整流部材３６の下面とは隙間を形成しており洗浄水の流路となっている。
【００２９】
第２仕切板３９の背面側は、第２仕切板３９と整流部材３６の外周リブ４１で流路を構成し流出部４２を形成している、流出部４２は第２仕切板３９の上端からタンク本体２２の底面３０に向けた降下部４３と底面３０と平行な水平部４４からなり、水平部４４の先端がタンク本体２２の内方に向かって開放している。
【００３０】
図５と図６で示すように第１仕切板３７と第２仕切板３９と外周リブ４１は平面視Ｌ字形になっており、第１仕切板３７の下端とタンク本体２２の底面３０との隙間、第２仕切板３９の上端と整流部材３６の下面との隙間、流出部４２の水平部４４の開口は全て高さに対して水平方向に長いスリット状となっている。
【００３１】
図４と図５で示すようにタンク本体２２の下部材２４の後部内面には横方向に複数の補強リブ４５が設けてある。補強リブ４５は図５に示すように傾斜した開口縁４９に向かって突出しており底面３０に対して傾斜して形成してある。補強リブ４５をこの方向に突出させることにより、樹脂材料による成型を容易にすることができる。また、下部材２４の底面３０の外側にも複数の補強リブ４６が設けてあり、これらの補強リブ４５、４６によりタンク本体２２の耐圧強度を増している。タンク本体２２にリブを設けることによりタンク本体２２の表面積が増加し貯留する洗浄水の熱が放熱しやすくなることが懸念されるが、上記構成では、後部に配設する補強リブ４５はタンク本体２２の内面に設置するため放熱に対してほとんど影響がなく、また底面３０の外側に配設した補強リブ４６は放熱に多少影響があるが、洗浄水タンク１６の底部に貯留される洗浄水は低温であるため影響を最小限に抑えることができる構成となっている。
【００３２】
タンク本体２２の上部材２３と下部材２４を接合する接合面４７は図３、図５に示すようにタンク本体２２の後方上部と前方下部との略対角線状になっている。また接合部である上部材２３の開口縁４８と下部材２４の開口縁４９の外周には外方に張り出した補強縁補強縁５０、５１が全周に亘り設けてあり、補強縁５０、５１はタンク本体２２の側面や背面あるいは前面や上面等の面構成部の厚さより厚くなっている。また、下部材２４の開口縁４９には全周に亘り溝５２を設け、この溝５２の中に金属線５３を埋め込み上部材２３と下部材２４を当接した状態で金属線５３に通電し、金属線５３の発熱により開口縁４８、４９の樹脂材料を溶かし上部材２３と下部材２４を溶着してタンク本体２２を形成している。
【００３３】
上部材２３と下部材２４の開口縁４８、４９に設けた補強縁５０、５１はタンク本体２２側面の耐圧強度の補強に寄与しており、特に接合面４７を対角線上にすることにより補強縁５０、５１の長さを最大にすることができ補強に大きく寄与している。
【００３４】
以上のように構成された衛生洗浄装置について、以下その動作、作用を説明する。
【００３５】
まず、給水接続部１７に水道管を接続した使用可能状態で使用者が操作部１５を操作し局部洗浄の操作がされると、開閉弁１８が開き水道水は洗浄水タンク１６の入水口２７から早い流速で整流手段３５の偏向部３８に流入し、下方向に向きを変え第１仕切板３７の下方の隙間を通過して調整部４０に流入する、狭い隙間から広い空間である調整部４０に流入した洗浄水は流速が遅くなるとともに流速が均一化し乱れのない整流となる。
【００３６】
次に洗浄水は第２仕切板３９の上方の隙間を通過して調整部４０から流出部４２へと流れる。この状態で洗浄水は整流化されており流速も遅くなっており調整部４０から溢れ出るような状態で流れ出る。流出部４２に流れ出た洗浄水は降下部４３を通過して洗浄水タンク１６の底面３０まで流下し、水平部４４を通過して底面３０に沿って洗浄水タンク１６の内方に流出する。
【００３７】
洗浄水タンク１６内に流出した洗浄水は底面３０に沿ってシーズヒータ３１の下方へ流れ、シーズヒータ３１の加熱で昇温した洗浄水は徐々に洗浄水タンク１６の上方に上昇し、洗浄水タンク１６の上方から順次昇温した洗浄水が貯留されていく。
【００３８】
洗浄水タンク１６内では対流が起こり、洗浄水タンク１６の中央部では昇温した洗浄水が上昇し周辺部では低温の洗浄水が下降する動きを行うが、タンク本体２２の背面内部に複数段設置した補強リブ４５がこの対流を抑制する作用を発揮し、洗浄水タンク１６内での過度の対流を抑制し、常に洗浄水タンク１６の上部に昇温した洗浄水が貯留されることとなる。
【００３９】
昇温した洗浄水タンク１６内の洗浄水はタンク本体２２の上部後方に設けた出水口２８より流出し送水管を介してノズル装置１９へ供給される。この時出水する洗浄水は洗浄水タンク１６の上方に貯留された温度の高い洗浄水から順次流出し、低温の洗浄水がノズル装置１９に供給されることはなく快適な局部洗浄を行うことができる。
【００４０】
ノズル装置１９に供給された洗浄水は流調弁と切換弁を通過してノズルの流路を通過して噴出口から局部に向かって噴出し局部を洗浄する。ノズル装置１９は局部洗浄の操作をなされた時点から、ノズルを収納位置から洗浄位置に進出している。
【００４１】
局部洗浄終了の操作がなされると、開閉弁１８が閉じ水道水の供給が停止し、洗浄水の噴出が停止するとともにノズルは収納位置へと後退する。
【００４２】
次に、乾燥の操作がなされると、乾燥装置２０の送風機とヒータに通電が開始し、温風吹き出し口から使用者の局部に向けて温風が送風され局部乾燥した後、乾燥終了の操作により終了する。
【００４３】
以上のように、本実施の形態においては、タンク本体の上部材と下部材の接合面を対角線上に設けたことにより、補強縁によりタンクの耐圧強度を最高に高めることできる。また、上部材と下部材の開口面積が最大となるため、これら部材の成型がしやすくなり特に下部材の内面に容易に補強リブを一体で成型することが可能となる。また、大きい開口から整流手段の整流部材等のタンク本体内に取り付ける部材の取付作業を容易に行うことができる。
【００４４】
また、タンク本体の背面内部に横方向の補強リブを設けたことにより、タンク本体の耐圧強度を増すとともに、貯留する洗浄水の必要以上の対流を抑制することができ洗浄タンクの上部に常に昇温した洗浄水を貯留することができる。しかも、内部に補強リブを設けたことによりタンク本体の外形寸法をほとんど大きくすることなく必要な容量を確保する
ことができ、省スペースの洗浄水タンクとなっている。
【００４５】
また、タンク本体の上部材と下部材を溶着で接合したことにより、接合部が必要以上に外部張り出すことがなく、この点でも省スペースの洗浄水タンクとなっている。
【００４６】
また、タンク本体の入水口に連続して整流手段を設けたことにより、洗浄水タンク内に流入する洗浄水の流速を落とし底面に沿って放流することにより洗浄タンク内の乱流の発生を抑制し、洗浄水タンクの上部に温水を貯留し下部に冷水を貯留し、温水と冷水の混合を抑制することが可能となり、最適温度の洗浄水で局部洗浄ができるとともに、洗浄水の加熱に要する電気エネルギーを抑制することができる。
【００４７】
なお、本実施の形態においてはタンク本体の上部材と下部材の接合は開口縁の溝に埋め込んだ金属線の発熱による溶着で行ったが、これに限るものではなく超音波を使用する溶着や、ねじを使用する機械的な接合方法でもよいし、これらを併用するものでもよい。
【００４８】
また、本実施の形態においては上部材と下部材の開口縁の全周に補強縁を設けたが、これに限るものではなく一部を排除してもよい、特に本実施の形態の場合前面または背面に対応する部分の補強縁を排除しても洗浄水タンクの耐圧強度に与える影響は少ない。また浄水タンクの側面にあっても一部を排除することは可能であり、他の部材との干渉等が発生する場合は最小限度の排除を行ってもよい。また排除した部分を他の方法で補強することも可能である。
【００４９】
また、本実施の形態においては、成型性を配慮して補強縁は外方に張り出した構成としたが、これに限るものではなく、タンク本体の内方に張り出した構成でもよく、また内方と外方の両方に張り出し構成でもよく、補強縁がタンク本体の側面や背面等の面構成部より厚さを厚くした構成とすればよい。
【００５０】
また、本実施の形態において補強リブは下部材の後部内面に横方向にのみ形成したが、これに限るものではなく、横方向に加えて縦方向に設けることにより、耐圧強度をより向上することができる。また、必要に応じて下部材の底面の内面に形成することも可能である。また、上部部材の耐圧強度の補強が必要な場合には、上部材の内面に同様の補強リブを設けることも可能である。
【００５１】
（実施の形態２）
図１０は、本発明の第２の実施の形態の衛生洗浄装置の本体内部の組立途中の状態の斜視図を示し、図１１は洗浄水タンクと関連する部材をユニット化した状態の斜視図を示すものである。
【００５２】
本実施の形態が第１の実施の形態と異なる点は、図１１に示すようにタンク本体５４の補強縁５５の一部を張り出して取付片５６を形成し、ねじ５７を介してノズル装置５８をタンク本体５４に設置している。またタンク本体５４の接合面５９の傾斜はノズル装置５８のノズルの進退方向と同方向になっている。また、開閉弁１８と給水接続部１７をタンク本体５４に取り付け、タンクユニット６０を構成し、図１０に示すように本体の下ケース６１に、前記タンクユニット６０と、乾燥装置２０と、脱臭装置６２と、便蓋自動開閉装置等を個別にねじ等で固定してある。
【００５３】
前記タンクユニット６０は衛生洗浄装置の洗浄水の経路となる全ての水回り部材で構成するため、タンクユニット６０の段階で水漏れ検査や各機能の機能検査が可能となるため、検査時に大きい寸法の衛生洗浄装置全体を取り扱いをする必要がなく取り扱い性がよくなる。タンクユニットの段階で異常が発見できることにより容易に補修ができる。
【００５４】
また、タンク本体５４の接合面５９と矢印Ｂで示すノズルの進退方向を同方向とすることで、ノズル装置の長い範囲をタンク本体５４に固定することができるためノズル装置を安定して固定することができる。
【産業上の利用可能性】
【００５５】
以上のように、本発明にかかる洗浄水タンクは、狭いスペースに設置可能で、十分な強度を備え、貯留する温水の保温性能を確保することが可能となるので、他の液体を貯留する設備などの用途にも適用できる。
【図面の簡単な説明】
【００５６】
【図１】本発明の実施の形態１における衛生洗浄装置の斜視図
【図２】本発明の実施の形態１における衛生洗浄装置の本体の上ケースを外した状態の斜視図
【図３】本発明の実施の形態１における洗浄水タンクの外観を示す斜視図
【図４】本発明の実施の形態１における洗浄水タンクの下部材の斜視図
【図５】本発明の実施の形態１におけるタンク本体の断面図
【図６】本発明の実施の形態１における図５におけるＡＡ断面図
【図７】本発明の実施の形態１におけるタンク本体の斜視図
【図８】本発明の実施の形態１における整流部材の下面から見た斜視図
【図９】本発明の実施の形態１における衛生洗浄装置を起立させた状態の斜視図
【図１０】本発明の実施の形態２におけるタンクユニットの斜視図
【図１１】本発明の実施の形態２における衛生洗浄装置の本体の組立過程の斜視図
【図１２】従来の洗浄水タンクの分解斜視図
【符号の説明】
【００５７】
１０  衛生洗浄装置
１１  本体
１２  便座
１３  便蓋
１６  洗浄水タンク
１９、５８  ノズル装置
２２、５４  タンク本体
２３  上部材
２４  下部材
２７  入水口
２８  出水口
３０  底面
３１  シーズヒータ（加熱手段）
４５、４６  補強リブ
４７  接合面
４８、４９  開口縁
５０、５１、５５  補強縁
【図１】
2008038432.tif 000003
【図２】
2008038432.tif 000004
【図３】
2008038432.tif 000005
【図４】
2008038432.tif 000006
【図５】
2008038432.tif 000007
【図６】
2008038432.tif 000008
【図７】
2008038432.tif 000009
【図８】
2008038432.tif 000010
【図９】
2008038432.tif 000011
【図１０】
2008038432.tif 000012
【図１１】
2008038432.tif 000013
【図１２】
2008038432.tif 000014